(57)【要約】【課題】  手軽に安く擁壁を構築することが出来るＬ型コンクリートブロックの提供。【解決手段】  Ｌ型コンクリートブロック１は底版２と壁版３を有し、又底版２と壁版３を繋ぐと共に別のＬ型コンクリートブロック１が載置されるリブ４，４を設け、そして別のＬ型コンクリートブロック１を上に載せた場合に互いに噛み合って位置ズレ防止を図る凹部と凸部を底版２の底面と壁版３又はリブ４，４の上面に形成している。【選択図】    図１
2011174228.tif 000002
【特許請求の範囲】
【請求項１】
擁壁を構成するコンクリートブロックにおいて、該コンクリートブロックは底版と壁版を有すＬ型コンクリートブロックとし、底版と壁版を繋ぐと共に別のＬ型コンクリートブロックが載置されるリブを設け、そして別のＬ型コンクリートブロックを上に載せた場合に互いに噛み合って位置ズレ防止を図る凹部と凸部を底版の底面と壁版又はリブの上面に形成したことを特徴とするＬ型コンクリートブロック。
【請求項２】
擁壁を構成するコンクリートブロックにおいて、該コンクリートブロックは底版と壁版を有すＬ型コンクリートブロックとし、底版と壁版を繋ぐと共に別のＬ型コンクリートブロックが載置されるリブを設け、そして別のＬ型コンクリートブロックを上に載せた場合に位置ズレ防止を図る為の位置ズレ防止部材が嵌る凹部を底版の底面と壁版又はリブの上面に形成したことを特徴とするＬ型コンクリートブロック。
【請求項３】
コンクリートブロックを積み重ねて構築する擁壁において、該コンクリートブロックは底版と壁版を有すＬ型コンクリートブロックとし、そして、底版と壁版を繋ぐとリブを設け、別のＬ型コンクリートブロックを壁版とリブの上面に載せ、壁版の背面側空間には押し固めた土が充填され、さらに上に載せたＬ型コンクリートブロックの位置ズレ防止を図ったことを特徴とする擁壁。
【発明の詳細な説明】
【技術分野】
【０００１】
本発明は棚田など比較的背丈の低い擁壁、及び該擁壁を構成するＬ型コンクリートブロックに関するものである。
【背景技術】
【０００２】
今日、擁壁を構築する為に使用されるコンクリート製のブロックは色々在って、多くの場所で使用されている。最も代表的なコンクリートブロックは直方体をしたブロックであり、一般住宅の塀垣用として使用されている。例えば、特開平９−２１６２１５号に係る「高精度ブロック」はその１つである。
【０００３】
又、コンクリートブロックとして代表的な形状はＬ型ブロックがある。このＬ型コンクリートブロックは、道路の側部に設置されて、路肩の崩れ防止を図っている。田畑を埋立てした住宅の周囲に設置される場合も多く、Ｌ型コンクリートブロックは、比較的背丈の低い擁壁を構成することが出来る。しかし、大きなＬ型コンクリートブロックともなれば、壁版の高さが５ｍ程となり、積み上げることなしに高い擁壁を構成できる。
【０００４】
ところで、従来のＬ型コンクリートブロックは、小さいものであっても作業者が手で持ち上げて設置できるものではない。そして、壁版の高い大きなＬ型コンクリートブロックともなれば、大きな土圧が作用して該壁版が傾いて表面側に突出することもある。
【０００５】
特開２００８−１４４５０１号に係る「コンクリートブロック積み擁壁」は、構造上経済的でかつ設置が効率的となるコンクリート積みブロック擁壁である。すなわち、擁壁は、基礎コンクリート上に第１コンクリートブロックと、その上部に２段設置された道路用拡幅用の第２コンクリートブロックと、更にその上部に第３コンクリートブロックが２段積まれて構成されている。
【０００６】
特開２００６−２８３２９２号に係る「擁壁構造及び擁壁構築工法」は、土留め用擁壁において、背面側に現場打ちコンクリートによるコンクリート壁体と、前面側に多数個のプレキャストコンクリートブロック（成型ブロック）を左右及び上下に組付けてなるブロック積み壁体とを前後に一体結合させた状態で構築していることにより、現場打ちコンクリート擁壁及びブロック積み擁壁の各欠点を補完した高強度の擁壁となる。
【０００７】
特開２００６−６３６５５号に係る「Ｌ型コンクリート擁壁」は、家庭ごみの大量発生により大量に発生する溶融スラグなどの無機系充填材を大量に有効利用するとともに、コンクリートの品質に一切影響を与えることなく、コンクリート擁壁の安定性を確保したＬ型コンクリート擁壁である。
すなわち、Ｌ型のコンクリートの擁壁ブロックの底版上に、該擁壁ブロックの高さより低い高さとなるように箱状に面立ち壁を形成して、無機系充填材を充填可能としている。
【０００８】
このように、擁壁を構成するコンクリートブロックは色々知られているが、該コンクリートブロックを積み上げる場合、崩れないように又は位置ズレしないようにコンクリートが流し込まれる。その為に、素人がコンクリートブロックを用いて安定した擁壁を構築することは不可能である。
【０００９】
【特許文献１】特開平９−２１６２１５号に係る「高精度ブロック」
【特許文献２】特開２００８−１４４５０１号に係る「コンクリートブロック積み擁壁」
【特許文献３】特開２００６−２８３２９２号に係る「擁壁構造及び擁壁構築工法」
【特許文献４】特開２００６−６３６５５号に係る「Ｌ型コンクリート擁壁」
【発明の開示】
【発明が解決しようとする課題】
【００１０】
このように、従来の擁壁を構成するコンクリートブロックには上記のごとき問題がある。本発明が解決しようとする課題はこれら問題点であって、簡単な施工で構築することが出来ると共に、素人でも施工することが出来る擁壁及び該擁壁の構築に用いるＬ型コンクリートブロックを提供する。
【課題を解決するための手段】
【００１１】
本発明に係るＬ型コンクリートブロックは底版と壁版を有すＬ型を構成し、そして、底版及び壁版を繋ぐリブを設けている。ここで、リブは底版と壁版の曲げ強度向上を図ると共に擁壁を構築する為に別のＬ型コンクリートブロックを上方に積み重ねる為の台として機能する。そこで、リブは一般に壁版上端面と同一高さを有し、該上端面は水平を成し、該リブは後方へ大きく延びて底版後端と同一又は後端付近に達している。
【００１２】
ところで、本発明の擁壁は上記Ｌ型コンクリートブロックを基礎コンクリート面に配列し、配列されたＬ型コンクリートブロック上に別のＬ型コンクリートブロックが載置される。すなわち、壁版上端面及びリブ上面に載って積み重ねられる。そして、上に載ったＬ型コンクリートブロックが位置ズレしないように、互いに噛み合う凹凸を設けたり、又は位置ズレ防止部材を上下Ｌ型コンクリートブロック間に介在することもある。又、積み重ねられたＬ型コンクリートブロックのリブ間には押し固められた土が充填されている。
【発明の効果】
【００１３】
本発明に係るＬ型コンクリートブロックは底版と壁版を繋ぐリブを有しており、該リブはＬ型コンクリートブロックの強度向上を図ると共に、壁版とリブの上端に別のＬ型コンクリートブロックを載せることが出来る。従って、Ｌ型コンクリートブロックによって所定高さの擁壁を構築することが出来る。この場合、下段のＬ型コンクリートブロックが載る基礎はコンクリートが打設されるが、その他はＬ型コンクリートブロックの壁版背面側であってリム間に押し固められた土を充填するだけである。
【００１４】
その為、擁壁の施工は簡単であり、工期は短く費用も安くなる。そして、Ｌ型コンクリートブロックのリブ間に土が充填されることで、安定した擁壁が構築される。又、各Ｌ型コンクリートブロックは位置ズレ防止が図られていることで、擁壁の形が変形したり崩れることはない。
【図面の簡単な説明】
【００１５】
【図１】本発明に係るＬ型コンクリートブロック。
【図２】Ｌ型コンクリートブロックを構築した擁壁。
【図３】Ｌ型コンクリートブロックの他の実施例。
【図４】位置ズレ防止部材を示す具体例。
【発明を実施するための形態】
【００１６】
図１は本発明に係るＬ型コンクリートブロック１を示す実施例であり、同図の２は底版、３は壁版、４はリブをそれぞれ表している。壁版３は底版２に対して垂直に起立し、Ｌ型を形成している。又、上記リブ４，４は底版２と壁版３を繋ぎ、Ｌ型コンクリートブロック１の強度を補強している。そして、リブ４，４は所定の間隔をおいて２ヶ所に設けられ、該リブ４，４の上面５，５は壁版３の上端面６を同一高さとしている。
【００１７】
又、リブ４，４は後方へ延び、底版２の後端と同一位置まで延びている。このように、リブ４，４を後方へ大きく延ばすと共に、上面５，５を壁版３の上端面６と同一にすることで、別のＬ型コンクリートブロック１を載せることが出来る。図２は本発明に係る擁壁構造を示す具体例であり、この擁壁は図１に示すＬ型コンクリートブロック１，１・・・を積み重ねて構築した構造と成っている。
【００１８】
図２に示す擁壁は３段積みされている。下段のＬ型コンクリートブロック１ａ，１ａ・・・は後方に傾斜した基礎コンクリート７の上に設置される。該基礎コンクリート７は整地された地面にコンクリートを打設して上面が傾斜するように均し、硬化した基礎コンクリート７の上面に複数のＬ型コンクリートブロック１ａ，１ａ・・・が後方に傾いて配列される。
【００１９】
そして、配列して設置されたＬ型コンクリートブロック１ａ，１ａ・・・の壁版３，３・・・の背面側に形成される空間８，８・・・には土９が充填されて押し固められる。この状態で該Ｌ型コンクリートブロック１ａ，１ａ・・・の上には別のＬ型コンクリートブロック１ｂ，１ｂ・・・が載置される。ここで、Ｌ型コンクリートブロック１ｂ，１ｂ・・・は下段のＬ型コンクリートブロック１ａ，１ａ・・・に対して１／２ピッチ横ズレした位置に配置されている。
【００２０】
中段のＬ型コンクリートブロック１ｂ，１ｂ・・・は１／２ピッチ横ズレして配列したことで、両側のＬ型コンクリートブロック１ｂ，１ｂは幅寸法が１／２の長さと成っている。そして、下段のＬ型コンクリートブロック１ａ，１ａ・・・の場合と同じく、壁版３，３・・・の背面側空間８，８・・・には土９が充填されて押し固められる。
【００２１】
さらに、配列・設置されたＬ型コンクリートブロック１ｂ，１ｂ・・・の上にはＬ型コンクリートブロック１ｃ，１ｃ・・・が設置される。このＬ型コンクリートブロック１ｃ，１ｃ・・・は中段のＬ型コンクリートブロック１ｂ，１ｂ・・・に対して１／２ピッチ横ズレした位置に配置され、壁版３，３・・・の背面側空間８，８・・・には同じように土９が充填されて押し固められる。
【００２２】
このように、本発明の擁壁は複数のＬ型コンクリート１，１・・・を積み重ねることで構築される。そして、積み重ねられた各Ｌ型コンクリートブロック１，１・・・が位置ズレしないように、接合面には凹部と凸部が形成されて互いに噛み合っている。すなわち、Ｌ型コンクリートブロック１のリブ上面に凸部１０，１０・・・を形成し、底版２の下面には凹部を設けている。
【００２３】
図３（ａ）、（ｂ）は本発明に係るＬ型コンクリートブロック１を示す他の実施例であり、背面側を表している。（ａ）のＬ型コンクリートブロック１では２枚のリブ４，４を設け、（ｂ）のＬ型コンクリートブロック１では３枚のリブ４，４，４を設けている。そして、各リブ４，４・・・には穴１１，１１・・・が貫通して設けられている。
【００２４】
そして、同図に示すＬ型コンクリートブロック１では、リブ４，４・・・の上面５，５・・・に凹溝１２，１２・・・が形成され、又底版２には該リブ４，４・・・を挟んで両側に貫通穴１３，１３・・・が設けられている。ところで、上記リブ４，４・・・の上面５，５・・・に形成した凹溝１２，１２・・・には位置ズレ防止部材１４，１４・・・が嵌合することが出来る。
【００２５】
図４はこの位置ズレ防止部材１４を示す具体例である。該位置ズレ防止部材１４は中央に嵌合基部１５を有し、その両側にはツバ１６，１６を設けている。従って、嵌合基部１５は凹溝１２に嵌り、両ツバ１６，１６にてリブ４を挟むように取付けられる。そこで、上に載置される別のＬ型コンクリートブロック１の底版２に形成した貫通穴１３，１３に位置ズレ防止部材１４のツバ１６，１６が嵌って位置決めされる。すなわち、嵌合基部１５がリブ４の上面５に形成した凹溝１２に嵌った状態で、両ツバ１６，１６の上部は上面５から上方に突出し、この突出したツバ１６，１６が貫通穴１３，１３に嵌ることが出来る。
【００２６】
上記位置ズレ防止部材１４はあくまでも１具定例であり、リブ上面５と底版２の底面に半球状の凹溝を形成し、位置ズレ防止部材１４として球体を嵌めることも可能である。従って、球体である位置ズレ防止部材の１／２づつがリブ上面の凹溝と底版底面の凹溝に嵌合して位置決めされる。
【符号の説明】
【００２７】
１  Ｌ型コンクリートブロック
２  底版
３  壁版
４  リブ
５  上面
６  上端面
７  基礎コンクリート
８  空間
９  土
10  凸部
11  穴
12  凹溝
13  貫通穴
14  位置ズレ防止部材
15  嵌合基部
16  ツバ
【図１】
2011174228.tif 000003
【図２】
2011174228.tif 000004
【図３】
2011174228.tif 000005
【図４】
2011174228.tif 000006